(57)【要約】【課題】家屋廃材を効率よく選別処理すること。【解決手段】自走し得る車台と、この車台に設けた搬入コンベアと、この搬入コンベア上に設置した固定スクリーンと、この固定スクリーンに投入されて、土砂や木材等を含む第１廃材から木材等の大型廃材を選別した第２廃材をさらに選別するスタースクリーンと、このスタースクリーンの下方に配置されて、細かい土砂等の細粒廃材を搬出する第１搬出コンベアと、スタースクリーンの先端に設けられて、このスタースクリーンで選別された中粒廃材を搬出する第２搬出コンベアとを備えた廃材選別用自走スクリーンにおいて、スタースクリーンを、所定の隙間を形成しながら一定の方向に回転する多数のスターロータにより構成するとともに、これら各スターロータについて、その取付軸部から多数放射状に突出する各選別搬送突起４２を、その回転方法に対する前面４２ａの幅よりも後面４２ｂの幅が狭くなるように形成して、当該各選別搬送突起４２の後面４２ｂへの土砂の付着を防止するようにしたこと。【選択図】図６
2005000874.tif 000002
【特許請求の範囲】
【請求項１】
自走し得る車台と、この車台に設けた搬入コンベアと、この搬入コンベア上に設置した固定スクリーンと、この固定スクリーンに投入されて、土砂や木材等を含む第１廃材から木材等の大型廃材を選別した第２廃材をさらに選別するスタースクリーンと、このスタースクリーンの下方に配置されて、細かい土砂等の細粒廃材を搬出する第１搬出コンベアと、前記スタースクリーンの先端に設けられて、このスタースクリーンで選別された中粒廃材を搬出する第２搬出コンベアとを備えた廃材選別用自走スクリーンにおいて、
前記スタースクリーンを、所定の隙間を形成しながら一定の方向に回転する多数のスターロータにより構成するとともに、これら各スターロータについて、その取付軸部から多数放射状に突出する各選別搬送突起を、その回転方法に対する前面の幅よりも後面の幅が狭くなるように形成して、当該各選別搬送突起の後面への土砂の付着を防止するようにしたことを特徴とする廃材選別用自走スクリーン。
【請求項２】
前記車台上にこれに対して回転される回転台を設けて、この回転台上に前記車台以外の全構成部材を搭載したことを特徴とする請求項１に記載の廃材選別用自走スクリーン。
【発明の詳細な説明】
【０００１】
【産業上の利用分野】
本発明は、工事現場等から出る種々な廃材を選別するスクリーンに関し、特に家屋を取り壊した際に出る土砂を含む廃材を選別するためのスクリーンに関するものである。
【０００２】
【従来の技術】
家屋の取り壊しや建設工事を行うと、これに伴う廃材が大量に発生するものであり、このような建築廃材は種々な加工を行って再利用するか埋立に利用しなければならない。そのため、クラッシャーやスクリーンが種々提案されてきている。
【０００３】
例えば、特許文献１には、廃材の供給が容易であり、かつ破砕廃材がスクリーン及びスクリーン破砕板の下端から容易に排出されると共に、定量供給装置を不要とすることを目的とした「スクリーンクラッシャー」が提供されており、また特許文献２には、「土砂分離装置内に土砂が付着することを防止するとともに原土中の玉石とか礫等の分離排出と、粘性の土塊の破砕と分離排出を行うことによって装置の運転を円滑にし、高品質な泥土モルタルを得るとともに振動スクリーンへの原土の投入位置の制約をなくして作業上での安定性を高めた掘削土の処理方法及びその装置を提供すること」を目的となされた「泥土モルタルに混練する掘削土の処理方法及びその装置」が提案されている。
【０００４】
【特許文献１】特開２０００−１７６３０１号公報、特許請求の範囲、段落００１２
【特許文献２】特開平９−１１２２５号公報、特許請求の範囲、段落００１０
【特許文献３】特開２００１−３３４１６１号公報
【０００５】
【発明が解決しようとする課題】
特許文献１に記載されている「スクリーンクラッシャー」はあくまでも「クラッシャー」であって、建築現場で発生したコンクリート廃材やアスファルト廃材を「クラッシュ」つまり破砕するものであり、「対向して立設された２枚の破砕板と、該破砕板に設けられた破砕歯と、前記破砕板を移動させる油圧機構とからなり、前記破砕板を多数のメッシュ開口を有するスクリーン破砕板で構成し、該スクリーン破砕板に破砕歯を設け、前記２枚の破砕板の間に廃材を投入して油圧機構を作動させ、廃材を破砕して下方へ落下させるようにしたクラッシャーにおいて、前記破砕歯を、縦方向に延びる歯としたこと、また、縦方向に延びる歯が鋼棒からなること」を、構成上の特徴とするものである。
【０００６】
しかしながら、このクラッシャーでは、旧家屋を破壊してその場所に家屋を新築する場合に出る廃材処理に使用したとすると、旧家屋を構成していた木材をも破砕してしまうものであり、木材と土砂とを分別しなければならない実状においては、不適当なものとなっている。
【０００７】
それだけでなく、旧家屋を破壊する際には、例えば壁を構成していた土が出るものであり、また、ほこりが立つのを防止するために、水をかけながらが破壊作業がなされている。そうすると、廃材中には木材と濡れて粘性の高まった土や泥とが混在することになるから、この特許文献１のクラッシャーで廃材の処理を行おうとすると、粘性の高まった泥によってスクリーンの目詰まりが発生して、クラッシャーの機能が直ぐマヒしてしまうことになる。
【０００８】
この粘性の高まった土や泥があってもその廃材処理を行えるようにしているのが特許文献１に記載された方法及び装置なのであるが、特に、処理装置については、次のような構成を有している。（請求項２）
「掘削された原土を土砂分離・破砕装置によって土塊、玉石、礫分を分離し、均質化された泥土を泥土モルタルの製造装置に供給してセメントミルクとの混練作用によって泥土モルタルを製造するようにした掘削土の処理において、上記土砂分離・破砕装置は、一対のスクリーンフレーム間に斜設された振動スクリーンと、この振動スクリーンに傾斜方向に沿う上方への振動を付与する機構を具備して成り、振動スクリーン上に投入された原土の上方への移動作用に伴う原土の滞留による土塊の破砕機能と、該振動スクリーンのメッシュによる玉石、礫分の分離機能を持たせたことを特徴とする泥土モルタルに混練する掘削土の処理装置」
しかしながら、この特許文献２の処理装置は、あくまでも掘削された原土から泥土モルタルを精製するものであって、振動スクリーン自体の振動とメッシュとにより選別を行うものであり、家屋破壊による廃材処理には適さないものとなっている。つまり、大きな木材とともに、粘性の高くなった泥を含む廃材の処理を、この特許文献２の装置では、むしろ行うことができないものと考えられる。
【０００９】
ところで、廃材の処理を機械的に行うにあたっては、例えば特許文献３に記載されているような「多数の回転刃が取付てられたロータ」を使用することが多いが、このロータの回転刃は、一般的には図７に示すような形式のものが多い。つまり、各回転刃の幅は、図７の（ｂ）に示すように、回転方向に対するどちら側面においても略同じ大きさとなっているのである。
【００１０】
そうなると、この図７に示した従来一般的なロータを使用して、木材と同時に粘性の高くなった泥をも含む廃材の選別処理を行ったとすると、図７の（ｂ）に示すように、回転刃の後面（回転方向とは反対側の面）に泥が付着してだんだんと堆積していき、ついには、ロータは回転していてもスクリーンにとって必要な隙間が堆積した泥で埋められてしまうということになる。
【００１１】
そこで、本発明者等は、家屋の廃材処理を行うにあたって、木材等の大型の廃材と、家屋を構成していた壁等から発生する粘性の高い泥や土砂等との選別を行えるようにするにはどうしたらよいか、について種々検討を重ねてきた結果、本発明を完成したのである。
【００１２】
すなわち、本発明の主たる目的とするところは、家屋廃材を効率よく選別処理することである。
【００１３】
【課題を解決するための手段】
以上の課題を解決するために、請求項１に係る発明の採った手段は、後述する実施の形態の説明中において使用する符号を付して説明すると、
「自走し得る車台１０と、この車台１０に設けた搬入コンベア２０と、この搬入コンベア２０上に設置した固定スクリーン３０と、この固定スクリーン３０に投入されて、土砂や木材等を含む第１廃材７０から木材等の大型廃材を選別した第２廃材７１をさらに選別するスタースクリーン４０と、このスタースクリーン４０の下方に配置されて、細かい土砂等の細粒廃材７４を搬出する第１搬出コンベア５０と、スタースクリーン４０の先端に設けられて、このスタースクリーン４０で選別された中粒廃材７３を搬出する第２搬出コンベア６０とを備えた廃材選別用自走スクリーン１００において、
スタースクリーン４０を、所定の隙間を形成しながら一定の方向に回転する多数のスターロータ４１により構成するとともに、これら各スターロータ４１について、その取付軸部４３から多数放射状に突出する各選別搬送突起４２を、その回転方法に対する前面４２ａの幅よりも後面４２ｂの幅が狭くなるように形成して、当該各選別搬送突起４２の後面４２ｂへの土砂の付着を防止するようにしたことを特徴とする廃材選別用自走スクリーン１００」
である。
【００１４】
すなわち、この請求項１に係る廃材選別用自走スクリーン１００は、家屋を壊した際に出る、木材等の大型廃材７１や泥を含む第１廃材７０を固定スクリーン３０によって第２廃材７２とし、この第２廃材７２をスタースクリーン４０に掛けることにより、この第２廃材７２から木片や石を含む中粒廃材７３と、壁等を構成していた泥を主成分とする細粒廃材７４を選別するようにしたものである。
【００１５】
換言すれば、この廃材選別用自走スクリーン１００によって、家屋を壊した際に発生する第１廃材７０を、図１〜図３に示すように、図示右端例に配置した固定スクリーン３０に投入することにより、まずこの固定スクリーン３０によって、木材等の大型廃材７１を機外に選別するのである。この大型廃材７１は、家屋を構成していた木材や板材、トタン板等を含むものであり、木材廃材とその他のものに簡単に選別できるものである。
【００１６】
この固定スクリーン３０によって大型廃材７１を選別した第２廃材７２は、搬入コンベア２０上に落下してスタースクリーン４０側に送り込まれるのであり、このスタースクリーン４０を構成している多数のスターロータ４１によって中粒廃材７３と細粒廃材７４とに選別される。中粒廃材７３は、スタースクリーン４０の各スターロータ４１の上面によって先の第２搬出コンベア６０へと送られ、細粒廃材７４とは分離される。細粒廃材７４は、スタースクリーン４０の各スターロータ４１が形成している、図５の（ｂ）に示すような隙間から下方に落下するのであり、第１搬出コンベア５０によって中粒廃材７３とは別の場所に送られる。
【００１７】
スタースクリーン４０の各スターロータ４１による選別に行うにあたっては、次の重要な作用がある。まず、各スターロータ４１は、図５中の矢印に示した方向に一斉に回転しているのであるが、このときには、第２廃材７２は図５の（ａ）の図示右側上に投入されるのであり、各スターロータ４１の選別搬送突起４２によって、図５の（ａ）の図示下方に送られるのである。このとき、各スターロータ４１間には、図５の（ｂ）に示すような隙間が多数存在するから、この隙間から細粒廃材７４を下方に落下させながら、細粒廃材７４よりも大きな中粒廃材７３を各選別搬送突起４２によって第２搬出コンベア６０側に送り出すのである。
【００１８】
また、各スターロータ４１の選別搬送突起４２については、図６の（ａ）及び（ｂ）に示すように、各選別搬送突起４２の回転方向側の前面４２ａが大きく、これとは反対の後面４２ｂの方が小さくしてあったから、もし、第２廃材７２中に粘性の高くなった泥が混入していたとしても、これが各選別搬送突起４２の後面４２ｂに付着することはない。勿論、各スターロータ４１は回転しているのであるから、各選別搬送突起４２の前面４２ａや側面にも泥が付着することはないのである。
【００１９】
従って、この請求項１に係る廃材選別用自走スクリーン１００は、家屋を構成していた木材を含む大型廃材７１と、瓦の破片や木端を含む中粒廃材７３と、泥が大部分となる細粒廃材７４とを確実に選別できて、しかも粘性の高くなった泥を含む第１廃材７０の選別をスターロータ４１に泥を付着させることはなく、各スターロータ４１間を常に所定の状態に維持し得るものとなっているのである。
【００２０】
上記課題を解決するために、請求項２に係る発明の採った手段は、上記請求項１の廃材選別用自走スクリーン１００について、
「車台上１０にこれに対して回転される回転台１１を設けて、この回転台１１上に前記車台１０以外の全構成部材を搭載したこと」
である。
【００２１】
すなわち、この請求項２の廃材選別用自走スクリーン１００は、車台１０が自走できるものであることと、この車台１０上の回転台１１が車台１０以外の全ての構成部材を搭載したものであることによって、通常は十分な作業面積がない家屋の解体作業によって生じた廃材の選別を自由に行えるものである。
【００２２】
換言すれば、この廃材選別用自走スクリーン１００は、車台１０に対する回転台１１の回転を、車台１０が有する油圧装置やエンジン駆動装置によって行えば、図２に示した第１廃材７０の投入方向や中粒廃材７３や細粒廃材７４の排出方向を自由に変えられるのである。
【００２３】
従って、この請求項２の廃材選別用自走スクリーン１００は、上記請求項１のそれと同様な機能を発揮することは勿論、選別作業そのものを、限られたスペースしかない工事現場においても簡単に行い得るものとなっているのである。
【００２４】
【発明の実施の形態】
以上のように構成した各請求項に係る発明を、図面に示した実施の形態である廃材選別用自走スクリーン１００について説明するが、この廃材選別用自走スクリーン１００は、上記各請求項に係る発明の全てを実質的に含むものである。
【００２５】
さて、この廃材選別用自走スクリーン１００は、図１〜３に示したように、自走し得る車台１０と、この車台１０に設けた搬入コンベア２０と、この搬入コンベア２０上に設置した固定スクリーン３０と、この固定スクリーン３０に投入されて、土砂や木材等を含む第１廃材７０から木材等の大型廃材を選別した第２廃材７１をさらに選別するスタースクリーン４０と、このスタースクリーン４０の下方に配置されて、細かい土砂等の細粒廃材７４を搬出する第１搬出コンベア５０と、スタースクリーン４０の先端に設けられて、このスタースクリーン４０で選別された中粒廃材７３を搬出する第２搬出コンベア６０とから構成されているものである。
【００２６】
車台１０は、図示しないエンジン等の駆動源によって駆動される無限軌道を有するもので、その上には、全体をエンジン等によって回転駆動される回転台１１が搭載してある。つまり、この車台１０は、施工現場で、ある程度自在に動き回ることができるとともに、回転台１１の方向を自由に変えられるようにしているものである。
【００２７】
搬入コンベア２０は、図１及び図３にて示したように、後述する固定スクリーン３０から落下してきた第２廃材７２を後述するスタースクリーン４０に向けて搬入するものであり、これ自体は、第２廃材７２を選別する所謂「スクリーン機能」は有してはいないものである。その意味では、この搬入コンベア２０は必ずしも必要なものではないが、第２廃材７２をスタースクリーン４０上に静かに流し入れるためには、あった方がよいものである。
【００２８】
固定スクリーン３０は、最初に第１廃材７０を受け入れるものであり、第１廃材７０から木材等の大型廃材７１を選別して第２廃材７２とするものである。つまり、この固定スクリーン３０は、文字通りスクリーン機能を有するものであり、このスクリーン機能を発揮するために、図示しない駆動装置によって振動されるものである。
【００２９】
スタースクリーン４０は、図４に示したように、多数のスターロータ４１を組み付けて構成したものであり、各スターロータ４１の上面によって第２廃材７２中の中粒廃材７３を図示左下方向に搬送するものである。また、各スターロータ４１間には、図５の（ａ）及び（ｂ）に示したように、所定の隙間が形成してあり、この隙間から細粒廃材７４が下方の第１搬出コンベア５０上に落下することになるのである。
【００３０】
本実施形態における各スターロータ４１は、その全体を硬質ゴム等の弾性材によって形成したものであり、図５に示したように、その各中心の取付軸部４３から放射状に突出する多数の選別搬送突起４２を有しているものである。各選別搬送突起４２は、第２廃材７２に直接的に触れて搬送したり、第２廃材７２中の土塊について、多少の破砕や崩しを行うものであり、図６の（ａ）及び（ｂ）に示したように、その回転方向側となる前面４２ａに対して、後面４２ｂが幅狭なものとなるようにしてあるものである。
【００３１】
つまり、各選別搬送突起４２については、従来の一般的なものは、その外形として、図６の（ａ）及び（ｂ）中の一点鎖線にて示したような形状（回転方向に対する前後両面は同じ大きさ）となっていたのであるが、本実施形態のものでは、図６中の実線にて示したように、各選別搬送突起４２の前面４２ａが後面４２ｂより大きなものとなるようにしてあるのである。
【００３２】
そして、これら各選別搬送突起４２を有したスターロータ４１を組み込んだスタースクリーン４０に対しては、その下方側に、図２及び図３に示したような第１搬出コンベア５０が配置されるのであり、またスタースクリーン４０の先端側には第２搬出コンベア６０が配置されるのである。なお、本実施形態の廃材選別用自走スクリーン１００では、第１搬出コンベア５０として、スタースクリーン４０の直下にこれと平行に位置するものと、これから直角方向に延在することになるものとの２つ使用するものを採用しており、スタースクリーン４０からの細粒廃材７４を完全に受け取って機外へ搬出できるようにしてある。
【００３３】
【発明の効果】
以上詳述した通り、本発明においては、上述した通り、
「自走し得る車台１０と、この車台１０に設けた搬入コンベア２０と、この搬入コンベア２０上に設置した固定スクリーン３０と、この固定スクリーン３０に投入されて、土砂や木材等を含む第１廃材７０から木材等の大型廃材を選別した第２廃材７１をさらに選別するスタースクリーン４０と、このスタースクリーン４０の下方に配置されて、細かい土砂等の細粒廃材７４を搬出する第１搬出コンベア５０と、スタースクリーン４０の先端に設けられて、このスタースクリーン４０で選別された中粒廃材７３を搬出する第２搬出コンベア６０とを備えた廃材選別用自走スクリーン１００において、スタースクリーン４０を、所定の隙間を形成しながら一定の方向に回転する多数のスターロータ４１により構成するとともに、これら各スターロータ４１について、その取付軸部４３から多数放射状に突出する各選別搬送突起４２を、その回転方法に対する前面４２ａの幅よりも後面４２ｂの幅が狭くなるように形成して、当該各選別搬送突起４２の後面４２ｂへの土砂の付着を防止するようにしたこと」
にその主たる構成上の特徴があり、これにより、家屋廃材を効率よく選別処理することのできる廃材選別用自走スクリーン１００を提供することができるのである。
【図面の簡単な説明】
【図１】本発明に係る廃材選別用自走スクリーンの側面図である。
【図２】同廃材選別用自走スクリーンの平面図である。
【図３】同廃材選別用自走スクリーンの分解斜視図である。
【図４】同廃材選別用自走スクリーンを構成しているスタースクリーン４０の概略を拡大して示した斜視図である。
【図５】同廃材選別用自走スクリーンのスタースクリーンを構成している２つのスターロータを拡大して示すもので、（ａ）は正面図、（ｂ）は平面図である。
【図６】同スターロータをさらに拡大してしめすもので、（ａ）はその部分斜視図、（ｂ）は（ａ）中の１−１線に沿ってみた断面図である。
【図７】従来のスターロータを示すもので、（ａ）はその部分斜視図、（ｂ）は（ａ）中の２−２線に沿ってみた断面図である。
【符号の説明】
１００  廃材選別用自走スクリーン
１０    車台
１１        回転台
２０        搬入コンベア
３０        固定スクリーン
４０        スタースクリーン
４１        スターロータ
４２        選別搬送突起
４２ａ    前面
４２ｂ    後面
４３        取付軸部
５０        第１搬出コンベア
６０        第２搬出コンベア
７０        第１廃材
７１        大型廃材
７２        第２廃材
７３        中粒廃材
７４        細粒廃材
【図１】
2005000874.tif 000003
【図２】
2005000874.tif 000004
【図３】
2005000874.tif 000005
【図４】
2005000874.tif 000006
【図５】
2005000874.tif 000007
【図６】
2005000874.tif 000008
【図７】
2005000874.tif 000009